【手続補正書】
【提出日】平成25年10月18日(2013.10.18)
【手続補正１】
【補正対象書類名】特許請求の範囲
【補正対象項目名】全文
【補正方法】変更
【補正の内容】
【特許請求の範囲】
【請求項１】
情報処理装置であって、
ネットワーク上のサーバ装置及び他の情報処理装置と通信する通信部と、
所定の無線通信範囲内で、当該情報処理装置を識別する第１の識別情報を含む第１のメッセージをブロードキャストするとともに、前記他の情報処理装置からブロードキャストされた、当該他の情報処理装置を識別する第２の識別情報を含む第２のメッセージを受信し、
前記受信された第２のメッセージを基に、前記第１の識別情報及び前記第２の識別情報を含み、前記他の情報処理装置との間で任意のデータ授受を可能とするためのグループの生成を要求する第３のメッセージを前記サーバ装置へ送信し、
前記グループへの参加を要求する第４のメッセージを前記他の情報処理装置へ送信し、
前記送信された第４のメッセージに応答して前記他の情報処理装置から前記サーバ装置へ送信された、前記グループへの参加を要求する第５のメッセージに応答して前記サーバ装置から送信された、前記グループの生成完了を通知する通知情報を受信する
ように前記通信部を制御する制御部と
を具備する情報処理装置。
【請求項２】
請求項１に記載の情報処理装置であって、
前記制御部は、当該情報処理装置の識別情報と、前記第１のメッセージがブロードキャストされる日時のタイムスタンプ情報とを組み合わせて前記第１の識別情報を生成する
情報処理装置。
【請求項３】
請求項１または２に記載の情報処理装置であって、
前記制御部は、前記第３のメッセージが前記サーバ装置に受信されてから、前記他の情報処理装置からの前記第５のメッセージに前記サーバ装置が応答するまでの制限時間を設定可能である
情報処理装置。
【請求項４】
請求項３に記載の情報処理装置であって、
前記制御部は、前記設定された制限時間を延長し、または、前記設定時間の経過後に新たな制限時間を設定するための第６のメッセージを前記サーバ装置へ送信するように前記通信部を制御する
情報処理装置。
【請求項５】
第１の情報処理装置及び第２の情報処理装置と通信する通信部と、
前記第１の情報処理装置から、当該第１の情報処理装置を識別する第１の識別情報と、前記第２の情報処理装置を識別する第２の識別情報とを含み、当該第１の情報処理装置と当該第２の情報処理装置との間で任意のデータ授受を可能とするためのグループの生成を要求する第１のメッセージを受信し、
前記第２の情報処理装置から、前記グループへの参加を要求する第２のメッセージを受信し、
前記第１の情報処理装置及び前記第２の情報処理装置へ、前記グループの生成完了を通知する通知情報を送信する
ように前記通信部を制御する制御部と
を具備するサーバ装置。
【請求項６】
第１の情報処理装置と、第２の情報処理装置と、サーバ装置とを具備するグループ生成システムであって、
前記第１の情報処理装置は、
前記サーバ装置及び前記第２の情報処理装置と通信する第１の通信部と、
所定の無線通信範囲内で、当該第１の情報処理装置を識別する第１の識別情報を含む第１のメッセージをブロードキャストするとともに、前記第２の情報処理装置からブロードキャストされた、当該第２の情報処理装置を識別する第２の識別情報を含む第２のメッセージを受信し、
前記受信された第２のメッセージを基に、前記第１の識別情報及び前記第２の識別情報を含み、前記他の情報処理装置との間で任意のデータ授受を可能とするためのグループの生成を要求する第３のメッセージを前記サーバ装置へ送信し、
前記グループへの参加を要求する第４のメッセージを前記第２の情報処理装置へ送信し、
前記送信された第４のメッセージに応答して前記第２の情報処理装置から前記サーバ装置へ送信された、前記グループへの参加を要求する第５のメッセージに応答して前記サーバ装置から送信された、前記グループの生成完了を通知する通知情報を受信する
ように前記第１の通信部を制御する第１の制御部とを有し、
前記第２の情報処理装置は、
前記サーバ装置及び前記第１の情報処理装置と通信する第２の通信部と、
前記無線通信範囲内で、前記第１のメッセージを受信するとともに、前記第２のメッセージをブロードキャストし、
前記第１の情報処理装置から前記第４のメッセージを受信し、
前記第４のメッセージに応答して前記サーバ装置へ前記第５のメッセージを送信し、
前記サーバ装置から前記通知情報を受信する
ように前記第２の通信部を制御する第２の制御部とを有し、
前記サーバ装置は、
前記第１の情報処理装置及び前記第２の情報処理装置と通信する第３の通信部と、
前記第１の情報処理装置から前記第３のメッセージを受信し、
前記第２の情報処理装置から前記第５のメッセージを受信し、
前記第１の情報処理装置及び前記第２の情報処理装置へ前記通知情報を送信する
ように前記第３の通信部を制御する第３の制御部とを有する
グループ生成システム。
【請求項７】
情報処理装置におけるグループ生成方法であって、
所定の無線通信範囲内で、当該情報処理装置を識別する第１の識別情報を含む第１のメッセージをブロードキャストするとともに、前記他の情報処理装置からブロードキャストされた、当該他の情報処理装置を識別する第２の識別情報を含む第２のメッセージを受信し、
前記受信された第２のメッセージを基に、前記第１の識別情報及び前記第２の識別情報を含み、前記他の情報処理装置との間で任意のデータ授受を可能とするためのグループの生成を要求する第３のメッセージをサーバ装置へ送信し、
前記グループへの参加を要求する第４のメッセージを前記他の情報処理装置へ送信し、
前記送信された第４のメッセージに応答して前記他の情報処理装置から前記サーバ装置へ送信された、前記グループへの参加を要求する第５のメッセージに応答して前記サーバ装置から送信された、前記グループの生成完了を通知する通知情報を受信する
グループ生成方法。
【請求項８】
情報処理装置に、
所定の無線通信範囲内で、当該情報処理装置を識別する第１の識別情報を含む第１のメッセージをブロードキャストするとともに、前記他の情報処理装置からブロードキャストされた、当該他の情報処理装置を識別する第２の識別情報を含む第２のメッセージを受信するステップと、
前記受信された第２のメッセージを基に、前記第１の識別情報及び前記第２の識別情報を含み、前記他の情報処理装置との間で任意のデータ授受を可能とするためのグループの生成を要求する第３のメッセージをサーバ装置へ送信するステップと、
前記グループへの参加を要求する第４のメッセージを前記他の情報処理装置へ送信するステップと、
前記送信された第４のメッセージに応答して前記他の情報処理装置から前記サーバ装置へ送信された、前記グループへの参加を要求する第５のメッセージに応答して前記サーバ装置から送信された、前記グループの生成完了を通知する通知情報を受信するステップと
を実行させるプログラム。
【手続補正２】
【補正対象書類名】明細書
【補正対象項目名】００２３
【補正方法】変更
【補正の内容】
【００２３】
本発明のまた別の形態に係るグループ生成方法は、情報処理装置におけるグループ生成方法である。当該グループ生成方法は、所定の無線通信範囲内で、当該情報処理装置を識別する第１の識別情報を含む第１のメッセージをブロードキャストするとともに、上記他の情報処理装置からブロードキャストされた、当該他の情報処理装置を識別する第２の識別情報を含む第２のメッセージを受信することを含む。上記受信された第２のメッセージを基に、上記第１の識別情報及び上記第２の識別情報を含み、上記他の情報処理装置との間で任意のデータ授受を可能とするためのグループの生成を要求する第３のメッセージがサーバ装置へ送信される。さらに、上記グループへの参加を要求する第４のメッセージが上記他の情報処理装置へ送信され、上記送信された第４のメッセージに応答して上記他の情報処理装置から上記サーバ装置へ送信された、上記グループへの参加を要求する第５のメッセージに応答して上記サーバ装置から送信された、上記グループの生成完了を通知する通知情報が受信される。
【手続補正３】
【補正対象書類名】明細書
【補正対象項目名】００２４
【補正方法】変更
【補正の内容】
【００２４】
本発明のさらに別の形態に係るプログラムは、情報処理装置に、送受信ステップと、第１の送信ステップと、第２の送信ステップと、受信ステップとを実行させる。上記送受信ステップでは、所定の無線通信範囲内で、当該情報処理装置を識別する第１の識別情報を含む第１のメッセージがブロードキャストされるとともに、上記他の情報処理装置からブロードキャストされた、当該他の情報処理装置を識別する第２の識別情報を含む第２のメッセージが受信される。上記第１の送信ステップでは、上記受信された第２のメッセージを基に、上記第１の識別情報及び上記第２の識別情報を含み、上記他の情報処理装置との間で任意のデータ授受を可能とするためのグループの生成を要求する第３のメッセージがサーバ装置へ送信される。上記第２の送信ステップでは、上記グループへの参加を要求する第４のメッセージが上記他の情報処理装置へ送信される。上記受信ステップでは、上記送信された第４のメッセージに応答して上記他の情報処理装置から上記サーバ装置へ送信された、上記グループへの参加を要求する第５のメッセージに応答して上記サーバ装置から送信された、上記グループの生成完了を通知する通知情報が受信される。
【手続補正４】
【補正対象書類名】明細書
【補正対象項目名】００５１
【補正方法】変更
【補正の内容】
【００５１】
アプリケーション部４２は、ＩＤ交換機能４３及び招待状送受信機能４４を有する。アプリケーション部４２は、これら機能を用いて、携帯端末１０を識別するＩＤや、他の携帯端末１０（のユーザ）をグループに招待するための招待状等、様々なタイプのメッセージを、ユニキャストまたはブロードキャストにより送受信する。
【手続補正５】
【補正対象書類名】明細書
【補正対象項目名】００８９
【補正方法】変更
【補正の内容】
【００８９】
同図に示すように、サーバ２０のＣＰＵ２１は、メッセージを受信すると（ステップ１１１）、それがグループリクエストであるか否かを判断する（ステップ１１２）。